(57)【要約】      （修正有）【課題】ゴルフバッグ基底盤表現力不足という欠点をクリアし、様々な外観をたっぷり出せるゴルフバッグ基底盤を提供する。【解決手段】装飾部材付きのゴルフバッグ基底盤は、底板体１と、底板体の上側に設けられた環状の直立フランジ３と、底板体の下側に配置された支脚３とを有し、上記環状の直立フランジの外周面に装飾部材４が配置される構成である。上記装飾部材は環状の構成が多く、底板体の外縁との接続は、嵌めること、若しくはネジ、または鉤の手によって実現できる。装飾部材が様々な凹凸形状や、模様及び色彩にデザインすることができるため、ゴルフバッグ基底盤の外縁の個性的なイメージがタップリ出される。【選択図】図１
0003138159.tif 000002
【実用新案登録請求の範囲】
【請求項１】
ゴルフクラブを受ける底板体（１）と、底板体（１）の外縁の上側に設けられた環状の直立フランジ（２）と、底板体（１）の下側に配置された支脚（３）とを有するゴルフバッグ基底盤において、
上記環状の直立フランジ（２）の外周面に、外観の異なる装飾部材（４）が設けられていることを特徴とする、装飾部材付きのゴルフバッグ基底盤。
【請求項２】
上記底板体（１）の外縁寸法が環状の直立フランジ（２）の外縁寸法より大きいことを特徴とする請求項１に記載のゴルフバッグ基底盤。
【請求項３】
上記装飾部材（４）が環状構成で、嵌めるによって上記底板体（１）の外縁に接続されることを特徴とする請求項１又は２に記載のゴルフバッグ基底盤。
【請求項４】
上記装飾部材（４）が環状構成で、ネジによって上記底板体（１）の外縁に接続されることを特徴とする請求項１又は２に記載のゴルフバッグ基底盤。
【請求項５】
上記装飾部材（４）が環状構成で、鉤の手によって上記底板体（１）の外縁に接続されることを特徴とする請求項１又は２に記載のゴルフバッグ基底盤。
【請求項６】
上記底板体（１）の外縁から上方に向かって伸びるように装飾部材（４）を嵌めるための係止用フランジ（１Ａ）が設けられ、上記装飾部材（４）から下方に向かって伸びるように、上記係止用フランジ（１Ａ）に対応する弾性フランジ（４Ａ）が設けられて、弾性フランジ（４Ａ）の外面を係止用フランジ（１Ａ）の内面に嵌め入れることで、装飾部材（４）を環状の直立フランジ（２）の外周面に固定させることを特徴とする請求項３に記載のゴルフバッグ基底盤。
【請求項７】
上記底板体（１）の外縁の上側に、その頂端部に捻込用孔を有する取付用突起（１B）が設けられ、上記装飾部材（４）において上記取付用突起（１B）に対応する取付用孔（４B）が設けられて、ネジが上記取付用孔（４B）を抜けて上記取付用突起（１B）に捻じ込むことで、装飾部材（４）を上記環状の直立フランジ（２）の外周面に固定させることを特徴とする請求項４に記載のゴルフバッグ基底盤。
【請求項８】
上記底板体（１）の外縁の上側に、その頂端部が勾配を成している鉤の手（１C）が設けられ、上記装飾部材（４）の下側にフランジ（４C）が横折りに形成されて、上記鉤の手（１C）の凹面と上記横折りフランジ（４C）の凸面とを噛合せることによって、上記装飾部材（４）を上記環状の直立フランジ（２）の外周面に固定させることを特徴とする請求項５に記載のゴルフバッグ基底盤。
【請求項９】
上記取付用突起（１A）及び鉤の手（１C）がプラスチックからなり、複数に設置されることを特徴とする請求項７又は８に記載のゴルフバッグ基底盤。
【請求項１０】
上記取付用孔（４B）が、その周縁部が装飾部材４の他部分より窪み込んでいて、捻込んだネジの頂端が基底盤の横から見えないように構成されることを特徴とする請求項７に記載のゴルフバッグ基底盤。
【考案の詳細な説明】
【技術分野】
【０００１】
本考案はゴルフ用品に関するものであり、特に各タイプのゴルフバッグに適用できるような、ゴルフバッグ基底盤に関するものである。
【従来技術】
【０００２】
人々の生活レベルの向上や上品スポーツへの憧れに伴い、ゴルフが世界中に段々普及してきている。実用的機能だけでなく、個性的なイメージも、ゴルフバッグとして益々期待されている。
【０００３】
ゴルフバッグ基底盤は、クラブを受ける底板体と、底板体の上方に位置してバッグ本体に接続される環状の直立フランジと、底板体の下方に位置して地面に当たる支脚とを有するものが一般である。従来のゴルフバッグの基底盤は構成が単調で、環状の外縁の外面に装飾部材がないため、外観上の美感を欠かして、スタイルも変化に乏しい。
【考案の開示】
【考案が解決しようとする課題】
【０００４】
本考案の目的は上記のゴルフバッグ基底盤表現力不足という欠点をクリアし、様々な外観をたっぷり出せるゴルフバッグ基底盤を得ることにある。
【０００５】
上記課題を解決するために、本考案のゴルフバッグは、クラブを受ける底板体と、底板体の上側に設置されバッグ本体に接続される環状の直立フランジと、底板体の下側に設置されて地面に当たる支脚とを有し、上記環状の直立フランジの外周面に様々な外観の装飾部材が配置された、装飾部材付きのゴルフバッグ基底盤である。
【０００６】
上記底板体の外縁寸法は、環状の直立フランジの外縁寸法より大きいのが一般で、上記装飾部材は環状を成すものが多く、種々な方法によって底板体の外縁に接続することができる。
【０００７】
例えば、嵌めることによって装飾部材と底板体の外縁とを接続する方法がある。具体には、底板体の外縁から上方に向かって伸びるように、装飾部材を嵌めるための係止用フランジを設け、また装飾部材から下方に向かって伸びるように、上記係止用フランジに対応する弾性フランジを設けて、上記弾性フランジの外面を上記係止用フランジの内面に嵌め入れることによって、装飾部材を環状の直立フランジの外周面に固定させる方法である。
【０００８】
また、装飾部材と底板体の外縁とをネジによって接続することもできる。具体には、底板体の外縁の上側に、その頂端部に捻込用孔が形成された取付用突起を設置し、装飾部材に上記取付用突起に対応する取付用孔を設けて、ネジを上記取付用孔を抜けて上記取付用突起に捻じ込ませることで、装飾部材を環状の直立フランジの外周面に固定させる方法である。
【０００９】
その他にも、例えば鉤の手による接続が考えられる。具体には、底板体外縁の上側にその頂端部が勾配を成し、上半部が横からは三角形に見える鉤の手を設け、装飾部材の下側に、横折りのフランジを設けて、上記鉤の手の凹面側と横折りフランジの凸面側とを対向してかみ合わせることで、装飾部材を環状の直立フランジの外周面に固定させる方法である。
【００１０】
装飾部材は上記以外の方法によって環状の直立フランジの外周面に嵌める又は覆わせることもできる。
【００１１】
従来のものに比べて、本考案は下記メリットを有する。
【００１２】
１、 環状の直立フランジの外周面に装飾部材を設けるため、多様な凹凸形状や、模様および色彩などを設計することができ、バッグ基底盤の外縁の美感をタップリ出すことができる。
【００１３】
２、 同じ種類のゴルフバッグ基底盤本体であっても、外観の異なる装飾部材を取付けることができ、様々なイメージのバッグ基底盤の平行生産においても、コストを明らかに低減でき、リードタイムを大幅に短縮させるとこができる。
【考案を実施するための最良の形態】
【００１４】
以下、図面を参照しながら本考案のゴルフバッグ基底盤の実施例を説明する。
【実施例１】
【００１５】
図１は装飾部材４が嵌められたゴルフバッグ基底盤の斜視図であって、図４はそれの正面図である。バッグ基底盤本体は、底板体１と、底板体１の上側に設けられた環状の直立フランジ２と、底板体１の下側に設けられた支脚３とを有する。外観のきれいな環状の装飾部材４が環状の直立フランジ２の外周面に取付けられた。上記装飾部材４は様々な凹凸形状や、模様、色彩にデザインすることができ、同じ種類のゴルフバッグ本体であっても、それを配置すれば、イメージの異なるゴルフバッグ基底盤をなすことができる。
【００１６】
図２は本実施例の装飾部材の斜視図であって、図５はそれの正面図である。図３は装飾部材を取付ける前のゴルフバッグ基底盤本体の斜視図で、図６はそれの正面図である。図７は本実施例の鳥瞰図であって、図８は図７のＡ−Ａ方向に沿った断面図である。
【００１７】
上記図の示したように、底板体１の外縁から上方に向かって伸びるように、装飾部材４を嵌めるための係止用フランジ１Ａが設けられ、この係止用フランジ１Ａに対応する弾性フランジ４Ａが、装飾部材４の下側から伸びだしている。装飾部材４の弾性フランジ４Ａの外面を底板体１の係止用フランジ１Ａの内面に嵌め入れることによって、装飾部材４を環状の直立フランジ２の外周面に固定させる。
【００１８】
本実施例では、装飾部材４は底板体１の外縁部の係止用フランジ１Ａに嵌り、環状の直立フランジ２の外周面を外から囲んでいる。このように、構成が簡単で、装飾部材４は容易に取付けられる。
【実施例２】
【００１９】
図９は装飾部材４を、ネジによって環状の直立フランジ２の外周面に固定させたゴルフバッグ基底盤を示す斜視図であって、図１２はそれの正面図である。装飾部材４に、取付用孔４Ｂが一定な間隔をおいて複数設置されている。ここで図示した取付用孔４Ｂは、その周縁部が装飾部材４の他部分より窪みこんでいて、捻じ込んだネジの頂端部が基底盤の横から見えないように構成されている。
【００２０】
図１０は本実施例の装飾部材の斜視図であって、図１３はそれの正面図である。図１１は装飾部材を取付ける前のゴルフバッグ基底盤本体の斜視図で、図１４はそれの正面図である。図１５は本実施例の鳥瞰図であって、図１６は図１５のＢ―Ｂに沿った断面図である。
【００２１】
図の示したように、底板体１の外縁の上側に、その頂端部に捩込用孔が形成された取付用突起１Ｂが設けられ、装飾部材４にはこの取付用突起１Ｂに対応する取付用孔４Ｂが形成されている。ネジ５が取付用孔４Ｂを抜けて取付用突起１Ｂに捻じ込むことで、装飾部材４を環状の直立フランジ２の外周面に固定させる。ここで、取付用突起１Ｂとして、プラスチックからなってもおよく、２つ以上設けるのが好ましい。
【００２２】
本実施例では、装飾部材４はネジによって取付用突起１Ｂに接続され、環状の直立フランジ２の外周面を外から囲んでいる。装飾部材４と底板体１とがさらに確実に連結されるように、ネジ５の数を増やしてもよい。この方法によって、装飾部材４は確実に取付けられ、容易に外れない。
【実施例３】
【００２３】
図１７は本実施例の装飾部材の斜視図であって、図１９はそれの正面図である。図１８は装飾部材を配置する前のゴルフバッグ基底盤の斜視図で、図２０はそれの正面図である。本実施例の斜視図と正面図はそれぞれ図１及び図４に対応している。図２１は本実施例の鳥瞰図で、図２２は図２１のＣ−Ｃ方向に沿った断面図で、図２３は図２２のＤ部拡大図である。
【００２４】
図の示したように、底板体１の外縁部の上側に、その頂端側が勾配を成している鉤の手１Ｃが設けられて、装飾部材４の下側にはフランジ４Ｃが横折りに形成されている。鉤の手１Ｃの凹面側と横折りに形成されたフランジ４Ｃの凸面側とが噛み合うと、装飾部材４は環状の直立フランジ２の外周面に固定される。ここで鉤の手１Ｃとして、プラスチックからなっても良く、所定の弾性とを持っていれば良い。
【００２５】
また、本実施例では、鉤の手１Ｃは４つ設けられているが、装飾部材４と底板体１の外縁が一層緊密に連結されるように、必要に応じて鉤の手１Ｃの数を増やしても良い。
【図面の簡単な説明】
【００２６】
【図１】本考案の実施例１に係るゴルフバッグ基底盤の斜視図である。
【図２】本考案の実施例１に係る装飾部材の斜視図である。
【図３】本考案の実施例１に係るゴルフバッグ基底盤本体の斜視図である。
【図４】本考案の実施例１に係るゴルフバッグ基底盤の正面図である。
【図５】本考案の実施例１に係る装飾部材の正面図である。
【図６】本考案の実施例１に係るゴルフバッグ基底盤本体の正面図である。
【図７】本考案の実施例１に係るゴルフバッグ基底盤の鳥瞰図である。
【図８】図７のＡ―Ａ方向に沿った断面図である。
【図９】本考案の実施例２に係るゴルフバッグ基底盤の斜視図である。
【図１０】本考案の実施例２に係る装飾部材の斜視図である。
【図１１】本考案の実施例２に係るゴルフバッグ基底盤本体の斜視図である。
【図１２】本考案の実施例２に係るゴルフバッグ基底盤の正面図である。
【図１３】本考案の実施例２に係る装飾部材の正面図である。
【図１４】本考案の実施例２に係るゴルフバッグ基底盤本体の正面図である。
【図１５】本考案の実施例２に係るゴルフバッグ基底盤の鳥瞰図である。
【図１６】図１５のＢ―Ｂ方向に沿った断面図である。
【図１７】本考案の実施例３に係る装飾部材の斜視図である。
【図１８】本考案の実施例３に係るゴルフバッグ基底盤本体の斜視図である。
【図１９】本考案の実施例３に係る装飾部材の正面図である。
【図２０】本考案の実施例３に係るゴルフバッグ基底盤本体の正面図である。
【図２１】本考案の実施例３に係るゴルフバッグ基底盤の鳥瞰図である。
【図２２】図２１のＣ―Ｃ方向に沿った断面図である。
【図２３】図２２のＤ部拡大図である。
【符号の説明】
【００２７】
１     底板体
１Ａ   係止用フランジ
１Ｂ   取付用突起
１Ｃ   鉤の手
２     直立フランジ
３     支脚
４     装飾部材
４Ａ   弾性フランジ
４Ｂ   取付用孔
４Ｃ   フランジ
５     ネジ
【図１】
0003138159.tif 000003
【図２】
0003138159.tif 000004
【図３】
0003138159.tif 000005
【図４】
0003138159.tif 000006
【図５】
0003138159.tif 000007
【図６】
0003138159.tif 000008
【図７】
0003138159.tif 000009
【図８】
0003138159.tif 000010
【図９】
0003138159.tif 000011
【図１０】
0003138159.tif 000012
【図１１】
0003138159.tif 000013
【図１２】
0003138159.tif 000014
【図１３】
0003138159.tif 000015
【図１４】
0003138159.tif 000016
【図１５】
0003138159.tif 000017
【図１６】
0003138159.tif 000018
【図１７】
0003138159.tif 000019
【図１８】
0003138159.tif 000020
【図１９】
0003138159.tif 000021
【図２０】
0003138159.tif 000022
【図２１】
0003138159.tif 000023
【図２２】
0003138159.tif 000024
【図２３】
0003138159.tif 000025